(57)【要約】      （修正有） 【課題】故障が少なく、かつ細かい泡を発生させることのできる泡状石鹸供給装置を提供する。【解決手段】モータ１０と、攪拌ユニット２０と、ポンプ体３０と、容器と、支持座とを含んでなり、モータ１０と、攪拌ユニット２０とポンプ体３０は支持座に設ける。攪拌ユニット２０は、ハウジング２１と、少なくとも１以上の伝動歯車２２と、複数の攪拌歯車２３とを具えてなり、ハウジング２１内には第１収納空間２１１を形成し、それぞれの攪拌歯車２３を第１収納空間２１１内に回動自在に設ける。ポンプ体３０は第２連結桿３１と、弾性被覆体３２と、両方向流通部材３３とを具えてなり、第２連結桿３１は一端に、第１減速歯車２２２の小歯車部２２２２に歯合する第２歯車３４を設け、かつ他端には弾性被覆体３２を接続する。弾性被覆体３２内には第２収納空間３２１が形成される。【選択図】図３
0003207581.tif 000002
【実用新案登録請求の範囲】
【請求項１】
モータと、攪拌ユニットと、ポンプ体と、容器とを含んでなる泡状石鹸供給装置において、
該モータは、第１歯車を設けた伝動軸を具え、かつ検知装置に電気的に接続し、
該攪拌ユニットは、内部に第１収納空間を形成したハウジングと、少なくとも１以上の伝動歯車と、該ハウジング内に回動自在に設ける複数の攪拌歯車とを具えてなり、該ハウジングは前端部に出力管を設け、かつ後端部に入力孔と貫通孔とを穿設するとともに、一端が該貫通孔を通過して該伝動歯車に接続する第１連結桿を設け、該第１連結桿の他端には第１減速歯車を設け、該第１減速歯車が、該第１歯車に歯合する大歯車部と、及び小歯車部とによってなり、
該ポンプ体は、第２連結桿と、内部に第２収納空間が形成された弾性被覆体と、両方向流通部材とを具えてなり、該第２連結桿の一端に、該第１減速歯車の該小歯車部に歯合する第２歯車を設け、かつ他端に該弾性被覆体を接続し、該両方向流通部材が第１管体と、第２管体とを具えるとともに、該両方向流通部材の一端が第２収納空間内に設けられ、該第１管体と該第２管体との一端がそれぞれ該第２収納空間内に位置し、該第１管体の他端が該入力孔に接続し、
該容器は、内部に液状の石鹸を充填し、該第２管体が該容器に連結して該液状の石鹸に接触すること、を特徴とする泡状石鹸供給装置。
【請求項２】
前記第２歯車の円心に小歯車を設け、該第２連結桿が該第２歯車の該小歯車に連結することを特徴とする請求項１に記載の泡状石鹸供給装置。
【請求項３】
前記第２連結桿の該小歯車部に歯合する一端に、くりぬき部を形成し、該くりぬき部の内壁が該第２歯車の該小歯車に連結することを特徴とする請求項２に記載の泡状石鹸供給装置。
【請求項４】
前記くりぬき部内に弾性部材を設け、該弾性部材が該小歯車に歯合することを特徴とする請求項３に記載の泡状石鹸供給装置。
【請求項５】
前記攪拌ユニットと該ポンプ体とを支持座に設け、該支持座の上面に蓋体を着脱自在に設け、該支持座の下方には第３収納空間が形成され、該容器を該第３収納空間に収納することを特徴とする請求項１に記載の泡状石鹸供給装置。
【考案の詳細な説明】
【技術分野】
【０００１】
この考案は、泡状になった石鹸を吐出して手などの洗浄に供する泡状石鹸供給装置に関する。
【背景技術】
【０００２】
従来の石鹸水を泡状にして供給する装置は、泡状石鹸のポンプが使い捨てのものであって、その機械的構造を利用して、上下方向に移動する方式で引っ張って該ポンプを作動させる。但し、容易に故障し、破損するという欠点を有する。
【考案の概要】
【考案が解決しようとする課題】
【０００３】
この考案は、故障が少なく、かつ細かい泡を発生させることのできる泡状石鹸供給装置を提供することを課題とする。
【課題を解決するための手段】
【０００４】
そこで、本考案者は従来の見られる欠点に鑑み鋭意研究を重ねた結果、  第１歯車を設けた伝動軸を具え、かつ検知装置に電気的に接続するモータと、内部に第１収納空間を形成したハウジングと伝動歯車と該ハウジング内に回動自在に設ける複数の攪拌歯車とを具えてなる攪拌ユニットと、第２連結桿と内部に第２収納空間が形成された弾性被覆体と両方向流通部材とを具えてなるポンプ体と、液状の石鹸を収納する容器と、によって構成され、該ハウジングは前端部に出力管を設け、かつ後端部に入力孔と貫通孔とを穿設し、かつ一端が該貫通孔を通過して該伝動歯車に接続する第１連結桿を設け、該第１連結桿の他端には該第１歯車に歯合する大歯車部と、及び小歯車部とによってなる第１減速歯車を設け、該第２連結桿の一端に、該第１減速歯車の該小歯車部に歯合する第２歯車を設け、かつ他端に該弾性被覆体を接続し、該両方向流通部材が第１管体と、第２管体とを具え、該両方向流通部材の一端が第２収納空間内に設けられ、該第１管体と該第２管体との一端がそれぞれ該第２収納空間内に位置し、該第１管体の他端が該入力孔に接続し、該第２管体が該容器に連結してなる泡状石鹸供給装置によって課題を解決できる点に着眼し、係る知見に基づいて本考案を完成させた。
【０００５】
以下この考案について説明する。請求項１に記載する泡状石鹸供給装置
は、モータと、攪拌ユニットと、ポンプ体と、容器とを含んでなる泡状石鹸供給装置であって、
該モータは、第１歯車を設けた伝動軸を具え、かつ検知装置に電気的に接続し、
該攪拌ユニットは、内部に第１収納空間を形成したハウジングと、少なくとも１以上の伝動歯車と、該ハウジング内に回動自在に設ける複数の攪拌歯車とを具えてなり、該ハウジングは前端部に出力管を設け、かつ後端部に入力孔と貫通孔とを穿設するとともに、一端が該貫通孔を通過して該伝動歯車に接続する第１連結桿を設け、該第１連結桿の他端には第１減速歯車を設け、該第１減速歯車が、該第１歯車に歯合する大歯車部と、及び小歯車部とによってなり、
該ポンプ体は、第２連結桿と、内部に第２収納空間が形成された弾性被覆体と、両方向流通部材とを具えてなり、該第２連結桿の一端に、該第１減速歯車の該小歯車部に歯合する第２歯車を設け、かつ他端に該弾性被覆体を接続し、該両方向流通部材が第１管体と、第２管体とを具えるとともに、該両方向流通部材の一端が第２収納空間内に設けられ、該第１管体と該第２管体との一端がそれぞれ該第２収納空間内に位置し、該第１管体の他端が該入力孔に接続し、
該容器は、内部に液状の石鹸を充填し、該第２管体が該容器に連結して該液状の石鹸に接触する。
【０００６】
請求項２に記載する泡状石鹸供給装置は、請求項１における第２歯車の円心に小歯車を設け、該第２連結桿が該第２歯車の該小歯車に連結する。
【０００７】
請求項３に記載する泡状石鹸供給装置は、請求項２における第２連結桿の該小歯車部に歯合する一端に、くりぬき部を形成し、該くりぬき部の内壁が該第２歯車の該小歯車に連結する。
【０００８】
請求項４に記載する泡状石鹸供給装置は、請求項３におけるくりぬき部内に弾性部材を設け、該弾性部材が該小歯車に歯合する。
【図面の簡単な説明】
【０００９】
請求項５に記載する泡状石鹸供給装置は、請求項２における攪拌ユニットと該ポンプ体とを支持座に設け、該支持座の上面に蓋体を着脱自在に設け、該支持座の下方には第３収納空間が形成され、該容器を該第３収納空間に収納する。
【００１０】
【図１】この考案による泡状石鹸供給装置の外観を示した斜視図である。
【図２】図１に開示する泡状石鹸供給装置の分解図である。
【図３】この考案による泡状石鹸供給装置の局部分解構造を示した説明図である。
【図４】この考案による泡状石鹸供給装置の使用態様を示した説明図である。
【考案を実施するための形態】
【００１１】
この考案は、故障が少なく、かつ細かい泡を発生させることのできる泡状石鹸供給装置を提供するものであって、第１歯車を設けた伝動軸を具え、かつ検知装置に電気的に接続するモータと、内部に第１収納空間を形成したハウジングと伝動歯車と該ハウジング内に回動自在に設ける複数の攪拌歯車とを具えてなる攪拌ユニットと、第２連結桿と内部に第２収納空間が形成された弾性被覆体と両方向流通部材とを具えてなるポンプ体と、液状の石鹸を収納する容器と、によって構成し、該ハウジングは前端部に出力管を設け、かつ後端部に入力孔と貫通孔とを穿設し、かつ一端が該貫通孔を通過して該伝動歯車に接続する第１連結桿を設け、該第１連結桿の他端には該第１歯車に歯合する大歯車部と、及び小歯車部とによってなる第１減速歯車を設け、該第２連結桿の一端に、該第１減速歯車の該小歯車部に歯合する第２歯車を設け、かつ他端に該弾性被覆体を接続し、該両方向流通部材が第１管体と、第２管体とを具え、該両方向流通部材の一端が第２収納空間内に設けられ、該第１管体と該第２管体との一端がそれぞれ該第２収納空間内に位置し、該第１管体の他端が該入力孔に接続し、該第２管体が該容器に連結する。係る泡状石鹸供給装置の特徴を説明するために、具体的な実施例を挙げ、図面を参照にして以下に詳述する。
【実施例】
【００１２】
図１、２に開示するように、この考案による泡状石鹸供給装置は、モータ１０と、攪拌ユニット２０と、ポンプ体３０と、容器４０と、支持座５０とを含んでなり、モータ１０と、攪拌ユニット２０とポンプ体３０は支持座５０に設ける。支持座５０の上面には蓋体５１を着脱自在に設ける。また、支持座５０の下方には第３収納空間５２が形成され、容器４０を第３収納空間５２に収納する。
【００１３】
図２、３に開示するように、モータ１０は伝動軸１１を具え、伝動軸１１には第１歯車１２を設ける。また、モータ１１は検知装置（図示しない）に電気的に接続する。
【００１４】
また、支持座５０には、モータ１０に電気的に接続する電池ボックス（図示しない）を更に設け、電池を該電池ボックスに装着する。
【００１５】
図３に開示するように、攪拌ユニット２０は、ハウジング２１と、少なくとも１以上の伝動歯車２２と、複数の攪拌歯車２３とを具えてなり、ハウジング２１内には第１収納空間２１１を形成し、それぞれの攪拌歯車２３を第１収納空間２１１内に回動自在に設ける。
【００１６】
また、ハウジング２１の前端部には出力管２１２を設け、かつハウジング２１の後端部には入力孔２１３と貫通孔２１４とを穿設する。
【００１７】
伝動歯車２２には、第１連結桿２２１の一端が貫通孔２１４を通過して接続し、第１連結桿２２１の他端には、第１減速歯車２２２を設ける。第１減速歯車２２２は大歯車部２２２１と小歯車部２２２２とによってなり、大歯車部２２２１は第１歯車１２に歯合する。
【００１８】
図３に開示するように、ポンプ体３０は第２連結桿３１と、弾性被覆体３２と、両方向流通部材３３とを具えてなり、第２連結桿３１は一端に、第１減速歯車２２２の小歯車部２２２２に歯合する第２歯車３４を設け、かつ他端には弾性被覆体３２を接続する。弾性被覆体３２内には第２収納空間３２１が形成される。
【００１９】
両方向流通部材３３は、第１管体３３１と、第２管体３３２とを具え、かつ該両方向流通部材３３は一端が第２収納空間３２１内に設けられる。よって、第１管体３３１と第２管体３３２とは、それぞれ一端が第２収納空間３２１内に位置し、また、第１管体３３１の他端は、入力孔２１３に接続する。
【００２０】
第２歯車３４の円心には、小歯車３４１を設け、第２連結桿３１は第２歯車３４の小歯車３４１に連結する。
【００２１】
第２連結桿３１の小歯車３４１に歯合する一端にはくりぬき部３１１を形成する。くりぬき部３１１の内壁は小歯車３４１に連結する。実施例において、くりぬき部３１１内には更に弾性部材３１２を設ける、弾性部材３１２は小歯車３４１に歯合する。
【００２２】
容器４０は、内部に液状の石鹸（図示しない）を充填し、第２管体３３２は、容器４０に連結して該液状の石鹸に接触し、かつ該液状の石鹸を抽出する。
【００２３】
この考案による泡状石鹸供給装置を使用する場合は、図４に開示するように、手を出力管２１２の下方に位置させると、検知装置が感知し、モータ１０が起動する。モータ１０が起動すると、モータ１０の伝動軸１１と第１歯車１２とが同期して回転し、同時に第１歯車１２に歯合する第１減速歯車２２２と、第１減速歯車２２２の小歯車部２２２２に歯合する第２歯車３４とが連動する。
【００２４】
第２歯車３４の小歯車３４１は第２連結桿３１に連結し、かつ弾性被覆体３２は弾性を有するため、第２歯車３４が回転すると、弾性被覆体３２は第２連結桿３１の前後への移動によって収縮と拡張とを繰り返し、吸引力を発生させる。よって、第２管体３３２から液状の石鹸が抽出されて弾性被覆体３２内に送られ、さらに拡張する力によって液状の石鹸が第１管体３３１から入力孔２１３を経由して攪拌ユニット２０内に送られる。
【００２５】
第１減速歯車２２２は、第１連結桿２２１を介して伝導歯車２２を連動させ、さらに伝動歯車２２はそれぞれの攪拌歯車２３を連動させて、入力孔２１３から入力した液状の石鹸を攪拌し、細かい泡状にして出力管２１２から使用者の手に出力する。
【符号の説明】
【００２６】
１０    モータ
１１    伝動軸
１２    第１歯車
２０    攪拌ユニット
２１    ハウジング
２１１    第１収納空間
２１２    出力管
２１３    出力孔
２１４    貫通孔
２２    伝動歯車
２２１    第１連結桿
２２２    第１減速歯車
２２２１    大歯車部
２２２２    小歯車部
２３    攪拌歯車
３０    ポンプ体
３１    第２連桿
３１１    くりぬき部
３１２    弾性部材
３２    弾性被覆体
３２１    第２収納空間
３３    両方向流通部材
３３１    第１管体
３３２    第２管体
３４    第２歯車
３４１    小歯車
４０    容器
５０    支持座
５１    蓋体
５２    第３収納空間    
【図１】
0003207581.tif 000003
【図２】
0003207581.tif 000004
【図３】
0003207581.tif 000005
【図４】
0003207581.tif 000006